(57)【要約】【課題】床面の段差や傾斜などにより、吸込口を形成する底面と床面との隙間が変化しても効率よく塵が取れるようにする。【解決手段】ゴミや塵等を吸引する電気掃除機の吸込具に関するものであり、吸込具５が、吸込口６とローラー１４を有する吸込具前９と、ローラー１４を有する吸込具後１３とを有した構成であり、この吸込具前９と吸込具後１３とが、互いに上下方向に移動可能なように接続されており、段差により吸込具後１３が乗り上げても、吸込具前９が下方向に移動し、吸込具前９が床面と平行な状態を維持することが可能である。【選択図】図３
2014212828.tif 000002
【特許請求の範囲】
【請求項１】
塵埃を吸引する吸込口を備えた床下前と、床下前を覆う床上前とで構成された吸込具前と、床下後と床上後により回動自在に保持されたパイプとで構成された吸込具後を有した吸込具において、前記吸込具前は吸込具後に移動可能に取り付けられたことを特徴とする電気掃除機の吸込具。
【請求項２】
吸込具前と吸込具後にそれぞれ溝部を設け、上下に移動可能に取り付けられたことを特徴とする請求項１に記載の電気掃除機の吸込具。
【請求項３】
吸込具前と吸込具後とを軟質材にて構成された接続体により回動可能に取り付けられたことを特徴とする請求項１または請求項２に記載の電気掃除機の吸込具。
【発明の詳細な説明】
【技術分野】
【０００１】
本発明は電気掃除機の吸込具に関するものである。
【背景技術】
【０００２】
従来、この種の電気掃除機用吸込具は床面の傷つきを防止するため、吸込口を設けた床下が床面に接しないようにローラーを設ける。または吸込口の後にブラシやゴム体で構成したリップ体を設けて床下が床面に設置しないように構成している（例えば、特許文献１参照）。また、吸込口の前後にブラシやゴム体で構成したリップ体を構成したものもある。（例えば、特許文献２参照）
図５は、特許文献１に記載された従来の吸込具を示すものである。図５に示すように、吸込具１０１は、吸込口１０２と移動用ローラー１０３と吸込口１０２の後方に可動式のブラシ１０４と、固定式のリップ１０５を有する床下１０６と、床下１０６を覆う床上１０７と、床下１０６と床上１０７とで回動自在に保持されたパイプ１０８から構成されている。
【先行技術文献】
【特許文献】
【０００３】
【特許文献１】実開昭６３−０４８５５０号公報
【発明の概要】
【発明が解決しようとする課題】
【０００４】
しかしながら、前記従来の構成では、移動用のローラー１０３とブラシ１０４により床下１０６の底面は床面と接することなく、床面と略平行となるように構成されているが、床面に段差があり、移動用ローラー１０３のみが段差に乗り上げた場合、床下１０１と床面とが略平行に保たれなくなるものである。吸込具１０１は吸込口１０２より床面の塵埃を吸引するが、その塵埃を吸引するためには、掃除機本体が発生させる負圧を吸込口１０２付近でより高めることがより効率的に塵埃を吸引できるが、前記のように床下１０６と床面が平行に保たれなくことは、部分的に床下１０６と床面との隙間が大きくなることで、吸込口１０２付近の圧力が落ちてしまい、結果、効率的に塵埃を吸引できない課題を有していた。
【０００５】
本発明は、前記従来の課題を解決するもので、床下の底面による床面の傷つきが発生することなく、床下と床面とが常に平行に保たれ、より効率的に床面の塵埃を吸引でき性能、使用性を向上した電気掃除機の吸込具を提供することを目的とする。
【課題を解決するための手段】
【０００６】
前記従来の課題を解決するために、本発明の電気掃除機の吸込具は、塵埃を吸引する吸込口を備えた床下前と、床下前を覆う床上前とで構成された吸込具前と、床下後と床上後により回動自在に保持されたパイプとで構成された吸込具後を有した吸込具において、前記吸込具前は吸込具後に移動可能に取り付けられ構成したものである。
【０００７】
これによって、吸込口を有する吸込具前が移動可能に取り付けられることによって、床面の段差に吸込具後が乗り上げたとしても、吸込具前の床下と床面との位置関係が変わらず、吸込口周辺の圧力の変化が発生しない。このように、床面の段差などによって吸込口周辺の圧力変化が起きず、常に吸込口周辺の圧力を一定に保てることで、床面の塵埃をより多く効率的に吸引できる性能を向上した電気掃除機の吸込具を提供することができる。
【発明の効果】
【０００８】
本発明の吸込具は、床面の段差に影響されず、床面の塵埃をより効率的に吸引ができ性能を向上することができる。
【図面の簡単な説明】
【０００９】
【図１】本発明の実施の形態１における電気掃除機の概観図
【図２】本発明の実施の形態１における吸込具の斜視図
【図３】本発明の実施の形態１における（ａ）は床面が平坦な状態の吸込具の断面図（ｂ）は床面に段差のある状態の吸込具の断面図
【図４】本発明の実施の形態２における（ａ）は床面が平坦な状態の吸込具の断面図（ｂ）は床面に傾斜のある状態の吸込具の断面図
【図５】従来の吸込具の断面図
【発明を実施するための形態】
【００１０】
第１の実施態様は、前記従来の課題を解決するために、本発明の電気掃除機の吸込具は、塵埃を吸引する吸込口を備えた床下前と、床下前を覆う床上前とで構成された吸込具前と、床下後と床上後により回動自在に保持されたパイプとで構成された吸込具後を有した吸込具において、前記吸込具前は吸込具後に移動可能に取り付けられ構成したものである。
【００１１】
これによって、吸込口を有する吸込具前が移動可能に取り付けられることによって、床面の段差に吸込具後が乗り上げたとしても、吸込具前の床下と床面との位置関係が変わらず、吸込口周辺の圧力の変化が発生しない。このように、床面の段差などによって吸込口周辺の圧力変化が起きず、常に吸込口周辺の圧力を一定に保てることで、床面の塵埃をより多く効率的に吸引できる性能を向上できるものである。
【００１２】
また、第２の実施態様は特に第１の実施態様において、吸込具前と吸込具後にそれぞれ溝部を設け、上下に移動可能に取り付けられ構成したものであり、第１の発明の同様の効果が得られるとともに、動作を単純な上下に限定することにより吸込具前の動作が確実となり、床面の塵埃をより多く効率的に吸引できる性能を向上できるものである。
【００１３】
また、第３の実施態様は特に第１または第２の実施態様において、吸込具前と吸込具後とを軟質材にて構成された接続体により回動可能に取り付けられ構成したもので、第１、第２の発明の同様の効果が得られるとともに、回動させることにより段差だけでなく、床面の傾斜にも対応することが可能となりより多くの床面の状態で、床面の塵埃をより多く効率的に吸引できる性能を向上できるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機の概観図、図２は吸込具の斜視図、図３は吸込具の断面図をそれぞれ示したものである。
【００１６】
図１において、１は吸引風を発生させる電動送風機（図示しない）を内蔵した電気掃除機本体であり、電気掃除機本体１に接続され、使用者が操作するハンドル２を有したホース３と、ハンドル２に接続された延長管４と、延長管４のハンドル２が接続された逆側に吸込具５により構成している。
【００１７】
次に図２、３において吸込具５は、吸込口６を形成する床下前７と床下前７を上方より
覆う床上前８にて構成された吸込具前９と、床下後１０と床上後１１により回動自在に保持されたパイプ１２とで構成された吸込具後１３と、からなり、床下前７と床下後１０は回転自在に保持された移動用のローラー１４が軸支されている。
【００１８】
吸込具前９と吸込具後１３は、溝部１５にて、互いに上下に移動可能に嵌合されている。
【００１９】
以上のように構成された電気掃除機の吸込具５について、以下にその動作、作用を説明する。
【００２０】
まず、図３（ａ）のように吸込口６は床下前７、床上前８、床下後１０、床上後１１、パイプ１２により構成された吸引通路１６と繋がっており、吸引通路１６は図１に示す延長管４、ハンドル２、ホース３を通じ掃除機本体１に連結されている。これにより電動送風機が発生させる吸引風を吸込具５の吸込口６に伝えることができる。
【００２１】
床面の塵埃はこの吸引風の力と、吸引風が床下前７と床面の間を通ることにより発生する負圧により吸込口６へと吸い上げられるものである。
【００２２】
次に、ローラー１４が床面と接することで、床下前７の底面と床面とをある一定の隙間（Ａ）を平行に保っている。この隙間（Ａ）を小さくすることが、吸引風がこの隙間Ａを通る際に発生する負圧をより高め、床面の塵埃を吸い上げる力も強くなるものである。
【００２３】
次に図３（ｂ）のように、床面に段差（Ｂ）があり、床下後１０に設けられたローラー１４が段差（Ｂ）に乗り上げたとしても、吸込具前９が下方向に動作するため、床下前７の底面と床面との隙間（Ａ）の距離が変化しないため、図４（ａ）の床面に段差（Ｂ）が無い状態の隙間（Ａ）と同様な吸込み性能が確保でき、床面の状態に左右されることなく常に高い性能を維持することができるものである。
【００２４】
（実施の形態２）
図４は、本発明の第２実施形態の吸込具の断面図である。
【００２５】
図４（ａ）に示すように、吸込具前９と吸込具後１３を軟質材で構成された接続体１７によって接続され、吸込具前９は吸込具後１３に回転自在に取り付けられ構成したものである。
【００２６】
以上のように構成された電気掃除機の吸込具について、以下その動作、作用を説明する。
図４（ａ）のように、床面が平坦な場合、本発明の実施例１に記載したように、床下前７の底面と床面とは隙間（Ａ）を平行に保たれている。
【００２７】
次に、平坦部と傾斜部をあわせ持った床面においても、図４（ｂ）のように、吸込具前９は傾斜部、吸込具後１３は平坦部に位置したとしても、軟質材で構成された接続体１７によって吸込具前９が回転しそれぞれに設けたローラー１４は床面と接地し、床下前７の底面と床面との隙間（Ａ）は図４（ａ）の平坦な床面の隙間（Ａ）と比べ変化することが無いため、傾斜の無い状態の吸込み性能が確保できる、床面の状態に左右されることなく常に高い性能を維持することができるものである。
【００２８】
また本発明の実施の形態１および２ではハンドル２、ホース３、延長管４を有する電気掃除機としたが、掃除機本体の下に形成された吸込具と本体上部より延びたパイプ、ハンドル部を有する縦型の掃除機。また手持ち式の掃除機の吸込具でも同様の効果が得られる
ものである。
【００２９】
また、本発明では吸込具の移動用ローラーを前方に２個、後方に２個としたが、移動用ローラーを有しない吸込具、前方のみ、もしくは後方のみに構成されても同様の効果が得られる。ものである。
【産業上の利用可能性】
【００３０】
以上のように、本発明にかかる電気掃除機の吸込具は、床面の段差や傾斜などにより、吸込口を形成する底面と床面との隙間が変化しないため、床面からの塵埃を吸い上げる性能を高い状態で一定に保つことが可能となるので、電機掃除機吸込具を用いる家庭用電気掃除機及び産業用電気掃除機の分野・用途に好適に運用することができる。
【符号の説明】
【００３１】
５  吸込具
６  吸込口
７  床下前
８  床上前
９  吸込具前
１０  床下後
１１  床上後
１２  パイプ
１３  吸込具後
１４  ローラー
１５  溝部
１６  吸引通路
１７  接続体
【図１】
2014212828.tif 000003
【図２】
2014212828.tif 000004
【図３】
2014212828.tif 000005
【図４】
2014212828.tif 000006
【図５】
2014212828.tif 000007